(57)【要約】【課題】バッテリーターミナル本体の不本意な変形を抑えてバッテリーポスト挿入穴の縮径を確実に行えるようにしたバッテリーターミナルを提供する。【解決手段】一対のテーパ部３４、３４及び一対の連結部（締め付け部）７、７の摺接部分の下方に位置する一対の受け部４１、４１と、ボルト３０に対する第二ボルト挿通孔４０とを有し、ブラケット２９の反対側且つ連結部７、７とボルト３０の頭部３６との間に配設されてブラケット２９と共に連結部７、７を挟み込む板状の第二ブラケット３２をバッテリーターミナル１を構成する締め付け装置（締め付け手段）４として更に備える。【選択図】    図１
2004235135.tif 000002
【特許請求の範囲】
【請求項１】
バッテリーポストを挿入するためのバッテリーポスト挿入穴を一部分断された部分を有する状態で上下方向に貫通形成した環状部、及び前記一部分断された部分に連通する締め付け間隙を設けて前記環状部に対し並設される一対の締め付け部を有するバッテリーターミナル本体と、前記締め付け間隙を介し前記一対の締め付け部を互いに近づけて前記バッテリーポスト挿入穴を縮径方向に縮める締め付け手段とを備え、
該締め付け手段は、ボルト挿通孔を有する基板、及び該基板の左右方向の両端部にそれぞれ連成される一対のテーパ部を有するブラケットと、前記ボルト挿通孔に挿通され且つ前記環状部の上側から操作されると螺合状態が進行し前記一対のテーパ部を前記一対の締め付け部に対して摺接させるボルト及びナットとを有するバッテリーターミナルであって、
前記一対のテーパ部と前記一対の締め付け部との摺接部分の下方に位置する一対の受け部と、前記ボルトに対する第二ボルト挿通孔とを有し、前記ブラケットの反対側且つ前記一対の締め付け部と前記ボルトの頭部との間に配設されて前記ブラケットと共に前記一対の締め付け部を挟み込む第二ブラケットを前記締め付け手段として更に備えた
ことを特徴とするバッテリーターミナル。
【請求項２】
請求項１に記載のバッテリーターミナルにおいて、
前記第二ブラケットの前記一対の受け部及び前記第二ボルト挿通孔の間の部分と、前記一対の締め付け部とを面接触させるようにした
ことを特徴とするバッテリーターミナル。
【請求項３】
請求項１又は請求項２に記載のバッテリーターミナルにおいて、
前記バッテリーターミナル本体に、前記第二ブラケットの回転方向の動きを規制する回り止め部を形成した
ことを特徴とするバッテリーターミナル。
【請求項４】
請求項１又は請求項２に記載のバッテリーターミナルにおいて、
前記バッテリーターミナル本体に、前記第二ブラケットの回転方向の動きを規制する回り止め部を形成するとともに、
前記第二ブラケットの前記回り止め部に当接する部分、又は該部分の反対側に、前記ボルトの前記頭部の回転方向の動きを規制する第一のボルト回り止め部を形成した
ことを特徴とするバッテリーターミナル。
【請求項５】
請求項４に記載のバッテリーターミナルにおいて、
前記第二ブラケットに、前記第一のボルト回り止め部に対して平行な第二のボルト回り止め部を形成した
ことを特徴とするバッテリーターミナル。
【請求項６】
請求項１ないし請求項５いずれか記載のバッテリーターミナルにおいて、
前記第二ブラケットに、前記ブラケットと前記一対の締め付け部との間に差し込まれ、且つ前記ボルトを挿通させて該ボルトの軸を前記バッテリーポスト挿入穴の軸に沿って平行に配置することが可能なボルト保持孔を有するボルト保持手段を形成した
ことを特徴とするバッテリーターミナル。
【請求項７】
請求項６に記載のバッテリーターミナルにおいて、
前記ボルト保持手段に、前記ブラケットを案内するためのガイド部を形成した
ことを特徴とするバッテリーターミナル。
【請求項８】
請求項７に記載のバッテリーターミナルにおいて、
前記ガイド部に、前記ブラケットの回転方向の動きを規制する回り止め部としての機能を持たせた
ことを特徴とするバッテリーターミナル。
【発明の詳細な説明】
【０００１  】
【発明の属する技術分野】
本発明は、バッテリーポスト挿入穴を有するバッテリーターミナル本体と、バッテリーポスト挿入穴を縮径方向に縮める締め付け手段とを備えたバッテリーターミナルに関する。
【０００２  】
【従来の技術】
図２０において、引用符号１０１はバッテリー１０２のバッテリーポスト１０３に取り付けられるバッテリーターミナルを示している。そのバッテリーターミナル１０１は、バッテリーポスト１０３を挿入するためのバッテリーポスト挿入穴１０４を有するバッテリーターミナル本体１０５と、バッテリーポスト挿入穴１０４の径を縮径させるためのボルト１０６及びナット１０７とを備えて構成されている。バッテリーターミナル本体１０５には、外部端子接続用の端子固定ボルト１０８及びナット１０９が設けられている。その端子固定ボルト１０８には、例えばヒュージブルリンクやスタータ等に電力を供給するためのケーブル１１０がＬＡ端子１１１を介して接続されるようになっている。
【０００３  】
このようなバッテリーターミナル１０１は、バッテリーターミナル本体１０５のバッテリーポスト挿入穴１０４を介してバッテリーポスト１０３が挿入され、ボルト１０６及びナット１０７が水平方向からインパクトレンチ等の工具で締め付けられてバッテリーポスト１０３に固定されるようになっている。
【０００４  】
ところで、近年のエンジンルーム内の設置部品の過密化した状態においては、上記工具が設置部品に干渉し易く、バッテリーターミナル１０１の取り付け作業に影響を来している。そこで本願出願人は、次のような構成及び構造のバッテリーターミナルの提供を検討し、十分な成果を得ている。
【０００５  】
図１８及び図１９において、本願出願人が提供の検討をしたバッテリーターミナル１２１は、バッテリーポスト１２２を挿入するためのバッテリーポスト挿入穴１２３を有するバッテリーターミナル本体１２４と、バッテリーポスト挿入穴１２３の径を縮径させるための締め付け手段１２５とを備えて構成されている。
【０００６  】
バッテリーターミナル本体１２４は、一対の環状部１２６、１２７と、一対の接合板１２８、１２９とを有している。その一対の環状部１２６、１２７は、略Ｕ字状に折り曲げられた一対の締め付け部としての連結部１３０、１３０の各端部に連成されており、上下方向に重なるように配設されている。このような環状部１２６、１２７の各中央には、バッテリーポスト挿入穴１２３が穿設されている。そのバッテリーポスト挿入穴１２３は、円周方向の一箇所が分断されており、そこに締め付け間隙１３１が形成されている。引用符号１３２は締め付け間隙１３１を含んで形成されたボルト挿通孔を示している。
【０００７  】
一対の接合板１２８、１２９は、各々、環状部１２６、１２７に連成されている。また、接合板１２８、１２９は、上下方向に重なるように配設されている。このような接合板１２８、１２９には、端子固定ボルト１３３が固定されている。その端子固定ボルト１３３には、ケーブル端末のＬＡ端子が接続されるようになっている。
【０００８  】
締め付け手段１２５は、締め付け間隙１３１を介して連結部１３０、１３０を互いに近づけ、バッテリーポスト挿入穴１２３を縮径方向に縮めるためのものであって、ブラケット１３４とボルト１３５とナット１３６とを備えて構成されている。そのブラケット１３４は、連結部１３０、１３０の上側に配設されるようになっており、基板１３７と、その基板１３７の左右両端部に連成される一対のテーパ部１３８、１３８とを有している。基板１３７の中央には、ボルト１３５を上下方向に挿通することが可能なボルト挿通孔１３９が貫通形成されている。テーパ部１３８、１３８は、先端に向けて次第にその間隔が広がるようなテーパ状に形成されている。
【０００９  】
締め付け手段１２５は、バッテリーターミナル本体１２４に対してセットされると、基板１３７が連結部１３０、１３０の各上面に対向し、テーパ部１３８、１３８が連結部１３０、１３０の左右両端部分に接触するようになっている。尚、ボルト１３５は、連結部１３０、１３０の下側から締め付け間隙１３１（ボルト挿通孔１３２）及びボルト挿通孔１３９に挿通されるようになっている。また、ナット１３６は、連結部１３０、１３０及び基板１３７の上側でボルト１３５に螺合するようになっている。
【００１０  】
上記構成において、上方からの操作によりナット１３６が締め付けられると、ボルト１３５及びナット１３６の螺合状態が進行する。そして、ボルト１３５及びナット１３６によって、ブラケット１３４が連結部１３０、１３０に押し付けられると、テーパ部１３８、１３８が連結部１３０、１３０の左右両端部分を摺接する。これにより、上下方向の締め付け力が左右方向の締め付け力に変換され、連結部１３０、１３０は互いに近づく方向（左右方向）に締め付けられる。そして、バッテリーポスト挿入穴１２３が縮径方向に縮み、そのバッテリーポスト挿入穴１２３はバッテリーポスト１２２の周側面に対して圧接状態になる。このような状態において、バッテリーターミナル１２１の取り付けが完了する。
【００１１  】
尚、上下方向の締め付け力を左右方向の締め付け力に変換して取り付けを行うバッテリーターミナルとしては、例えば下記特許文献１、２のようなものが知られている。また、バッテリーターミナルは、例えば下記特許文献３のようなものも知られている。
【００１２  】
【特許文献１】
実開平６−５４２０５号公報
【特許文献２】
特開２００２−１８４３８７号公報
【特許文献３】
特開２００１−３５１６０４号公報
【００１３  】
【発明が解決しようとする課題】
本願出願人が提供の検討をしたバッテリーターミナル１２１にあっては、工具とバッテリー周辺の設置部品との干渉を確実に避け、取り付けに係る作業を容易にすることができるという効果を奏している。しかしながら、上下方向の締め付け力が左右方向の締め付け力に十分に変換されない場合には、連結部１３０、１３０がバッテリーターミナル１２１の正面視において八の字状に変形してしまうという恐れがある（ボルト１３５とブラケット１３４の連結部１３０、１３０に対する作用点が異なり、連結部１３０、１３０の中心線Ｌ１がＬ２となるような八の字状の変形が生じる。連結部１３０、１３０が八の字状に変形すると、バッテリーポスト挿入穴１２３が縮径方向に十分に縮まない恐れがある）。
【００１４  】
本発明は、上述した事情に鑑みてなされるもので、バッテリーターミナル本体の不本意な変形を抑えてバッテリーポスト挿入穴の縮径を確実に行えるようにしたバッテリーターミナルを提供することを課題とする。
【００１５  】
【課題を解決するための手段】
上記課題を解決するためなされた請求項１記載の本発明のバッテリーターミナルは、バッテリーポストを挿入するためのバッテリーポスト挿入穴を一部分断された部分を有する状態で上下方向に貫通形成した環状部、及び前記一部分断された部分に連通する締め付け間隙を設けて前記環状部に対し並設される一対の締め付け部を有するバッテリーターミナル本体と、前記締め付け間隙を介し前記一対の締め付け部を互いに近づけて前記バッテリーポスト挿入穴を縮径方向に縮める締め付け手段とを備え、該締め付け手段は、ボルト挿通孔を有する基板、及び該基板の左右方向の両端部にそれぞれ連成される一対のテーパ部を有するブラケットと、前記ボルト挿通孔に挿通され且つ前記環状部の上側から操作されると螺合状態が進行し前記一対のテーパ部を前記一対の締め付け部に対して摺接させるボルト及びナットとを有するバッテリーターミナルであって、前記一対のテーパ部と前記一対の締め付け部との摺接部分の下方に位置する一対の受け部と、前記ボルトに対する第二ボルト挿通孔とを有し、前記ブラケットの反対側且つ前記一対の締め付け部と前記ボルトの頭部との間に配設されて前記ブラケットと共に前記一対の締め付け部を挟み込む第二ブラケットを前記締め付け手段として更に備えたことを特徴としている。
【００１６  】
請求項２記載の本発明のバッテリーターミナルは、請求項１に記載のバッテリーターミナルにおいて、前記第二ブラケットの前記一対の受け部及び前記第二ボルト挿通孔の間の部分と、前記一対の締め付け部とを面接触させるようにしたことを特徴としている。
【００１７  】
請求項３記載の本発明のバッテリーターミナルは、請求項１又は請求項２に記載のバッテリーターミナルにおいて、前記バッテリーターミナル本体に、前記第二ブラケットの回転方向の動きを規制する回り止め部を形成したことを特徴としている。
【００１８  】
請求項４記載の本発明のバッテリーターミナルは、請求項１又は請求項２に記載のバッテリーターミナルにおいて、前記バッテリーターミナル本体に、前記第二ブラケットの回転方向の動きを規制する回り止め部を形成するとともに、前記第二ブラケットの前記回り止め部に当接する部分、又は該部分の反対側に、前記ボルトの前記頭部の回転方向の動きを規制する第一のボルト回り止め部を形成したことを特徴としている。
【００１９  】
請求項５記載の本発明のバッテリーターミナルは、請求項４に記載のバッテリーターミナルにおいて、前記第二ブラケットに、前記第一のボルト回り止め部に対して平行な第二のボルト回り止め部を形成したことを特徴としている。
【００２０  】
請求項６記載の本発明のバッテリーターミナルは、請求項１ないし請求項５いずれか記載のバッテリーターミナルにおいて、前記第二ブラケットに、前記ブラケットと前記一対の締め付け部との間に差し込まれ、且つ前記ボルトを挿通させて該ボルトの軸を前記バッテリーポスト挿入穴の軸に沿って平行に配置することが可能なボルト保持孔を有するボルト保持手段を形成したことを特徴としている。
【００２１  】
請求項７記載の本発明のバッテリーターミナルは、請求項６に記載のバッテリーターミナルにおいて、前記ボルト保持手段に、前記ブラケットを案内するためのガイド部を形成したことを特徴としている。
【００２２  】
請求項８記載の本発明のバッテリーターミナルは、請求項７に記載のバッテリーターミナルにおいて、前記ガイド部に、前記ブラケットの回転方向の動きを規制する回り止め部としての機能を持たせたことを特徴としている。
【００２３  】
請求項１に記載された本発明によれば、締め付け手段の操作がバッテリーターミナル本体の環状部の上側から行われる。その操作は、ボルト及びナットの螺合状態を進行させることにより開始される。ボルト及びナットの螺合状態が進行すると、そのボルト及びナットによってブラケットと第二ブラケットとの間隔が狭められるとともに、ブラケットが一対の締め付け部に対して押し付けられる。そして、ブラケットのテーパ部が一対の締め付け部を摺接すると、上下方向の締め付け力が左右方向の締め付け力に変換され、一対の締め付け部が互いに近づく方向に締め付けられる。一対の締め付け部が締め付けられると、バッテリーポスト挿入穴が縮径方向に縮み、そのバッテリーポスト挿入穴がバッテリーポストに対して圧接状態となって、バッテリーターミナルの取り付けが完了する。
第二ブラケットが一対の締め付け部とボルトの頭部との間に配設されることから、ボルトによる上下方向の締め付け力が一対の締め付け部に対して局所的に作用することはない。また、ブラケットと一対の締め付け部との摺接において、上下方向の締め付け力が左右方向の締め付け力に十分に変換されない場合であっても、一対の締め付け部が摺接部分の下方で第二ブラケットにより支えられる。一対の締め付け部の不本意な変形が抑えられ、バッテリーポスト挿入穴の縮径が確実に行われる。
【００２４  】
請求項２に記載された本発明によれば、第二ブラケットの一対の受け部及び第二ボルト挿通孔の間の部分と、一対の締め付け部とが面接触する。第二ブラケットと一対の締め付け部との間には、不必要な空間が極力存在しなくなり、一対の締め付け部の不本意な変形がより一層抑えられる。
【００２５  】
請求項３に記載された本発明によれば、締め付け手段の操作の際、第二ブラケットが回転しようとすると、バッテリーターミナル本体の回り止め部に当接する。第二ブラケットは、回り止め部により回転方向の動きが規制される。
【００２６  】
請求項４に記載された本発明によれば、締め付け手段の操作の際、第二ブラケットが回転しようとすると、バッテリーターミナル本体の回り止め部に当接する。第二ブラケットは、回り止め部により回転方向の動きが規制される。また、締め付け手段の操作の際、ボルトの頭部が回転しようとすると、第二ブラケットの第一のボルト回り止め部に当接する。ボルトの頭部は、第一のボルト回り止め部により回転方向の動きが規制される。
【００２７  】
請求項５に記載された本発明によれば、締め付け手段の操作の際、ボルトの頭部が回転しようとすると、第二ブラケットの第一のボルト回り止め部及び第二のボルト回り止め部に当接する。ボルトの頭部は、第一のボルト回り止め部及び第二のボルト回り止め部により回転方向の動きが規制される。
【００２８  】
請求項６に記載された本発明によれば、締め付け手段の操作の際、ボルトが傾こうとすると、第二ブラケットのボルト保持手段のボルト保持孔に当接する。仮に、第二ボルト挿通孔で十分に規制することができないボルトの軸ずれがあった場合、ボルト保持孔によって規制される。
【００２９  】
請求項７に記載された本発明によれば、締め付け手段の組み立ての際、ブラケットがボルト保持手段のガイド部によって案内される。
【００３０  】
請求項８に記載された本発明によれば、締め付け手段の組み立ての際、ブラケットの回転方向の動きがガイド部によって規制される。
【００３１  】
【発明の実施の形態】
以下、図面を参照して本発明の実施の形態を説明する。
図１は本発明のバッテリーターミナルの一実施の形態を示す分解斜視図である。また、図２は外観斜視図、図３は正面図、図４は側面図、図５は底面図、図６は作用説明図である。
【００３２  】
図１ないし図５において、引用符号１は先端の直径が基端の直径よりも小さいテーパ状の周側面を有する既知のバッテリーポスト２に巻着するバッテリーターミナルを示している。そのバッテリーターミナル１は、バッテリーターミナル本体３と、複数の構成部材からなる締め付け装置４（特許請求の範囲に記載した締め付け手段に相当）とを有して構成されている。
【００３３  】
上記バッテリーターミナル本体３は、導電性を有する金属板をプレス加工することにより製造されており、一対の環状部５、６と、一対の連結部７、７（特許請求の範囲に記載した締め付け部に相当）と、一対の接合板８、９とを有している。また、バッテリーターミナル本体３は、一対の接合板８、９によって保持される端子固定ボルト１０及びナット（不図示）を有している。
【００３４  】
本明細書において、上記バッテリーポスト２の軸方向を垂直方向（上下方向に一致）とし、そのバッテリーポスト２の先端を上、基端を下と定義する。従って、環状部５が上、環状部６が下に配置されるものとする。また、同様に、接合板８が上、接合板９が下に配置されるものとする。
【００３５  】
環状部５は、平板状の上基板１１を有している。その上基板１１の略中央には、バッテリーポスト２を挿入するためのバッテリーポスト挿入穴１２が上下方向に貫通形成されている。また、上基板１１の左右両端部には、先端が下に向く係合部１３、１３がそれぞれ連成されている。
【００３６  】
バッテリーポスト挿入穴１２は、バッテリーポスト２の周側面に接触する部分であって、先端が下に向くように上基板１１から折り曲げられて形成されている。また、バッテリーポスト挿入穴１２は、バッテリーポスト２の先端側の直径に合わせて環状に形成されている。さらに、バッテリーポスト挿入穴１２は、連結部７、７の間となる部分が分断された状態で形成されている。引用符号１４はバッテリーポスト挿入穴１２の一部分断された部分を示している。
【００３７  】
環状部６は、平板状の下基板１５を有している。その下基板１５の略中央には、バッテリーポスト２を挿入するためのバッテリーポスト挿入穴１６が上下方向に貫通形成されている。また、下基板１５の左右両端部には、先端が下に向く係合部１７、１７がそれぞれ連成されている。このような係合部１７、１７には、後述する第二ブラケット３２に対しての回り止め部１８、１８が図示のように形成されている（従来では係合部の先端が上側に向くが、本発明においては、回り止め部１８のために先端を下側にした係合部１７が形成される。尚、上基板１１の係合部１３は、従来よりも長さが長く、上基板１１と下基板１５との間隔維持のために機能する）。
【００３８  】
バッテリーポスト挿入穴１６は、バッテリーポスト２の周側面に接触する部分であって、先端が下に向くように下基板１５から折り曲げられて形成されている。また、バッテリーポスト挿入穴１６は、バッテリーポスト２の基端側の直径に合わせて環状に形成されている。さらに、バッテリーポスト挿入穴１６は、連結部７、７の間となる部分が分断された状態で形成されている。尚、バッテリーポスト挿入穴１６の一部分断された部分は、上記引用符号１４の部分の真下にこれと同様に形成されているものとする（引用符号１４を用いるものとする）。
【００３９  】
連結部７、７は、上基板１１及び下基板１５を間隔をあけて上下に重なるようにこれらを連結する部分であって、前後方向にＵ字状に湾曲させられた状態に形成されている。すなわち、連結部７、７における前後方向且つ上側の端部が上基板１１の前端に連成され（上側の一部分断された部分１４の左右両側に連成される）、前後方向且つ下側の端部が下基板１５の前端に連成されて（下側の一部分断された部分１４の左右両側に連成される）、前後方向の断面視がＵ字状となるように形成されている。また、連結部７、７は、一部分断された部分１４、１４に連通する締め付け間隙１９を有して左右方向に並設されている。
【００４０  】
このような連結部７、７には、ボルト挿通孔２０と被摺接部２１、２１と当接部２２、２２とが形成されている。ボルト挿通孔２０は、締め付け間隙１９を含んで形成されている。また、ボルト挿通孔２０は、連結部７、７が互いに近接した状態において円形に近い形状になるように形成されている。
【００４１  】
被摺接部２１、２１は、連結部７、７の左右方向の端部（外側の端部）に配置形成されている。詳しくは、図示のように被摺接部２１、２１の基端部分が連結部７、７の左右方向且つ上側の端部に連成されており、被摺接部２１、２１の先端部分が連結部７、７の左右方向且つ下側の端部に連成された当接部２２、２２及び連結部７、７の各下面を巻き込むように形成されている。尚、被摺接部２１、２１は、傾斜面を有するように形成されており、その傾斜面を形成するために生じる内側の折り曲げ部分に当接部２２、２２の先端が引っ掛かるようになっている（当接部２２、２２の先端をのばして連結部７、７の上側内面に当接させるようにしてもよいものとする（図１６参照））。
【００４２  】
接合板８は、上基板１１の後端に連成される接触板部２３と、その接触板部２３の左右方向の両端部に連成される下向きの側壁２４、２４（一方のみ図示）とを有して構成されている。接触板部２３は、矩形状の平板であって、その中央には、端子固定ボルト１０に対するボルト挿通孔２５が貫通形成されている。側壁２４、２４（一方のみ図示）の先端部分には、内側に折り返されて端子固定ボルト１０の頭部２６を保持する頭部保持片２７、２７（一方のみ図示）が連成されている。
【００４３  】
接合板９は、下基板１５の後端に連成される矩形平板部２８と、その矩形平板部２８の左右方向の両端部に連成される側壁とを有して構成されている。矩形平板部２８の中央には、端子固定ボルト１０の頭部２６の外形形状に合わせた頭部回転規制孔（不図示）が貫通形成されている。接合板９の左右方向の側壁は、接合板８の側壁２４、２４の内側となるように配置形成されている。
【００４４  】
尚、接合板８、９、端子固定ボルト１０、及び図示しないナットによって外部接続端子（不図示）に対する接続部が形成されている。
【００４５  】
上記締め付け装置４は、締め付け間隙１９を介して連結部７、７を互いに近づけるとともに、バッテリーポスト挿入穴１２、１６を縮径方向に縮めるものであって、ブラケット２９と、ボルト３０及びナット３１と、第二ブラケット３２とを有して構成されている。
【００４６  】
ブラケット２９は、連結部７、７の上側に配設されるようになっている。また、ブラケット２９は、平面視短冊形状の厚肉金属板を折り曲げて形成されている。すなわち、ブラケット２９は、基板３３と一対のテーパ部３４、３４とを有するように形成されている。
【００４７  】
基板３３の中央には、ボルト３０を上下方向に挿通することが可能なボルト挿通孔３５が貫通形成されている。テーパ部３４、３４は、基板３３の長手方向（上記左右方向に一致）の両端部に連成されている。また、テーパ部３４、３４は、先端に向けて次第にその間隔が広がるようにテーパ状に形成されている。
【００４８  】
ボルト３０は、ボルト挿通孔３５と締め付け間隙１９（ボルト挿通孔２０）と後述する第二ボルト挿通孔４０とに挿通されるようになっている。また、ボルト３０は、その軸がバッテリーポスト挿入穴１２、１６の軸に沿って平行に挿通されるようになっている。本形態においては、ボルト３０の頭部３６が下基板１５側に配置されるようになっている。ナット３１は、上基板１１側からボルト３０に対して螺合するようになっている。
【００４９  】
第二ブラケット３２は、金属製（強度を確保することができれば合成樹脂製でも可）の部材であって、基板３７と第一のボルト回り止め部３８と第二のボルト回り止め部３９とを有するように形成されている。基板３７は、矩形状の平板であって、その中央には、ボルト３０に対する第二ボルト挿通孔４０が貫通形成されている。また、基板３７の長手方向（上記左右方向に一致）の両端側には、受け部４１、４１が形成されている。その受け部４１、４１は、ブラケット２９のテーパ部３４、３４と連結部７、７の被摺接部２１、２１との摺接部分の下方に位置するように配置形成されている。
【００５０  】
このような基板３７の一端は、バッテリーターミナル本体３の回り止め部１８、１８に当接するようになっており、その当接部分には、第一のボルト回り止め部３８が連成されている。第一のボルト回り止め部３８は、片状に形成されており、ボルト３０の頭部３６が当接するようになっている。第二のボルト回り止め部３９は片状であって、基板３７の他端、すなわち回り止め部１８、１８の当接部分の反対側に連成されている。また、第二のボルト回り止め部３９は、第一のボルト回り止め部３８に対して平行に配置形成されている。第一のボルト回り止め部３８及び第二のボルト回り止め部３９によって、第二ブラケット３２は断面視コ字状に形成されている。尚、回り止め部１８、第一のボルト回り止め部３８、及び第二のボルト回り止め部３９は、作業性の向上に寄与する部分として形成されている。
【００５１  】
締め付け装置４は、バッテリーターミナル本体３に対してセットされると、ブラケット２９の基板３３が連結部７、７の各上面に対向し、ブラケット２９のテーパ部３４、３４が被摺接部２１、２１の上記傾斜面に対して接触するようになっている。また、第二ブラケット３２が連結部７、７の各下面に対向するとともに、その各下面にまで巻き込まれてのびた被摺接部２１、２１の先端部分に対して面接触するようになっている。さらに、ボルト３０が連結部７、７の下側から第二ブラケット３２の第二ボルト挿通孔４０、連結部７、７の締め付け間隙１９（ボルト挿通孔２０）、及びブラケット２９のボルト挿通孔３５に挿通され、ナット３１がブラケット２９の上側で螺合するようになっている。ボルト３０は、その軸がバッテリーポスト挿入穴１２、１６の軸に沿って平行に配置されている。
【００５２  】
次に、上記構成に基づき、バッテリーターミナル１のバッテリーポスト２に対する取り付け固定（接続）を説明する。
【００５３  】
図１及び図６において、先ず、バッテリーターミナル１を下方向に移動させてバッテリーポスト挿入穴１２、１６をバッテリーポスト２の周側面に接触させる。次に、バッテリーターミナル本体３の向きを所定方向に合わせて配置する。続いて、バッテリーターミナル本体３の上方からインパクトレンチ等の図示しない工具を用いてナット３１を締め付け、締め付け装置４の操作を開始する。
【００５４  】
締め付け装置４の操作において、ナット３１を締め付けると、ボルト３０及びナット３１の螺合状態が進行する。そして、ボルト３０及びナット３１の螺合状態が進行すると、そのボルト３０及びナット３１によってブラケット２９と第二ブラケット３２との間隔が狭められるとともに、ブラケット２９が連結部７、７に対して押し付けられ、ブラケット２９のテーパ部３４、３４が連結部７、７の被摺接部２１、２１を摺接する。これにより、上下方向の締め付け力が左右方向の締め付け力に変換され、連結部７、７が互いに近づく方向（左右方向）に締め付けられる。そして、バッテリーポスト挿入穴１２、１６が縮径方向に縮み、そのバッテリーポスト挿入穴１２、１６がバッテリーポスト２の周側面に対して圧接状態となって、バッテリーターミナル１の取り付けが完了する。
【００５５  】
以上、図１ないし図６までを参照しながら説明してきたように、第二ブラケット３２を連結部７、７とボルト３０の頭部３６との間に配設して、ボルト３０による上下方向の締め付け力を連結部７、７に対して局所的に作用させないようにすることができる。また、ブラケット２９と連結部７、７との摺接において、上下方向の締め付け力が左右方向の締め付け力に十分に変換されない場合であっても、第二ブラケット３２により連結部７、７を摺接部分の下方で支えることができる。従って、連結部７、７の不本意な変形を抑え、バッテリーポスト挿入穴１２、１６の縮径を確実に行うことができる。本発明のバッテリーターミナル１は、上記図示しない工具と、バッテリー周辺の設置部品（不図示）との干渉を確実に避け、接続に係る作業（取り付けに係る作業）を容易にすることもできる。
【００５６  】
尚、第二ブラケット３２に替えて図７ないし図９に示すような第二ブラケットを用いても同様の効果を奏するものとする（図７は基板３７と第一のボルト回り止め部３８とで形成した第二ブラケット３２ａ、図８は基板３７と第二のボルト回り止め部３９とで形成した第二ブラケット３２ｂ、図９は基板３７のみで形成した第二ブラケット３２ｃを示している）。また、被摺接部２１、２１の先端部分４２、４２を図１０に示すように内側に伸ばし、第二ブラケット３２と連結部７、７（先端部分４２、４２）とを面接触させ、第二ブラケット３２と連結部７、７との間の不必要な空間を極力減らすことにより、連結部７、７の不本意な変形をより一層抑えることを好ましい形態とする。
【００５７  】
続いて、図１１ないし図１６までを参照しながら本発明によるバッテリーターミナルの他の一実施の形態を説明する。図１１は他の一実施の形態を示す分解斜視図、図１２は外観斜視図、図１３は平面図、図１４は正面図、図１５は側面図、図１６は図１５のＡ−Ａ線断面図である。尚、上述の形態と基本的に同じ構成については同一の符号を付してその詳細な説明を省略するものとする。
【００５８  】
図１１ないし図１６において、引用符号５１はバッテリーポスト２に巻着するバッテリーターミナルを示している。そのバッテリーターミナル５１は、バッテリーターミナル本体３と、複数の構成部材からなる締め付け装置５２（特許請求の範囲に記載した締め付け手段に相当）とを有して構成されている。
【００５９  】
上記締め付け装置５２は、上述同様、締め付け間隙１９を介して連結部７、７を互いに近づけるとともに、バッテリーポスト挿入穴１２、１６を縮径方向に縮めるものであって、ブラケット２９と、ボルト３０及びナット３１と、第二ブラケット５３とを有して構成されている。
【００６０  】
第二ブラケット５３は、金属製（強度を確保することができれば合成樹脂製でも可）の部材であって、基板３７と第一のボルト回り止め部３８とボルト保持手段５４とを有するように形成されている。基板３７は、第二ボルト挿通孔４０と受け部４１、４１とを有しており、バッテリーターミナル本体３の回り止め部１８、１８の当接部分（基板３７の一端）には、第一のボルト回り止め部３８が形成されている。尚、受け部４１、４１は、ブラケット２９のテーパ部３４、３４と連結部７、７の被摺接部２１、２１との摺接部分の下方に位置するように配置形成されている。
【００６１  】
ボルト保持手段５４は、基板３７の他端、すなわち回り止め部１８、１８の当接部分の反対側に連成されている。また、ボルト保持手段５４は、上記当接部分の反対側に連成され且つバッテリーターミナル本体３の連結部７、７の前方に配置形成される基端部分５５と、その基端部分５５に連成され且つブラケット２９と連結部７、７の各上面との間に差し込まれるボルト保持部分５６とを有するように形成されている。
【００６２  】
ボルト保持部分５６には、ボルト３０の軸をバッテリーポスト挿入穴１２、１６の軸に沿って平行に配置することが可能なボルト保持孔５７が形成されている（本形態において、ボルト保持孔５７は基端部分５５にも跨っている）。また、ボルト保持部分５６には、ブラケット２９を案内するためのガイド部５８、５８が形成されている。ガイド部５８、５８は、ボルト保持部分５６の端部を上方に折り曲げて形成されている。また、ガイド部５８、５８は、第一のボルト回り止め部３８の上方に配置形成されている。尚、ガイド部５８、５８の設定は任意であるものとする（設定した場合には作業性の向上が図られる。また、本形態のように一対であればブラケット２９に対する回り止め部としても機能する）。
【００６３  】
締め付け装置５２は、バッテリーターミナル本体３に対してセットされると、ブラケット２９の基板３３が連結部７、７の各上面に対向し、ブラケット２９のテーパ部３４、３４が被摺接部２１、２１の上記傾斜面に対して接触するようになっている。また、第二ブラケット５３が連結部７、７の各下面に対向するとともに、その各下面にまで巻き込まれてのびた被摺接部２１、２１の先端部分に対して面接触するようになっている。さらに、第二ブラケット５３のボルト保持部分５６がブラケット２９と連結部７、７の各上面との間に差し込まれてブラケット２９が案内されるようになっている。さらにまた、ボルト３０が連結部７、７の下側から第二ブラケット５３の第二ボルト挿通孔４０、連結部７、７の締め付け間隙１９（ボルト挿通孔２０）、第二ブラケット５３のボルト保持孔５７、及びブラケット２９のボルト挿通孔３５に挿通され、ナット３１がブラケット２９の上側で螺合するようになっている。ボルト３０は、第二ブラケット５３のボルト保持孔５７によって、その軸がバッテリーポスト挿入穴１２、１６の軸に沿って平行に配置されるようになっている。
【００６４  】
次に、上記構成に基づき、バッテリーターミナル５１のバッテリーポスト２に対する取り付け固定（接続）を説明する。
【００６５  】
先ず、バッテリーターミナル５１を下方向に移動させてバッテリーポスト挿入穴１２、１６をバッテリーポスト２の周側面に接触させる。次に、バッテリーターミナル本体３の向きを所定方向に合わせて配置する。続いて、バッテリーターミナル本体３の上方からインパクトレンチ等の図示しない工具を用いてナット３１を締め付け、締め付け装置５２の操作を開始する。
【００６６  】
締め付け装置５２の操作において、ナット３１を締め付けると、ボルト３０及びナット３１の螺合状態が進行する。そして、ボルト３０及びナット３１の螺合状態が進行すると、そのボルト３０及びナット３１によってブラケット２９と第二ブラケット５３との間隔が狭められるとともに、ブラケット２９がガイド部５８、５８に案内されながら連結部７、７に対して押し付けられ、ブラケット２９のテーパ部３４、３４が連結部７、７の被摺接部２１、２１を摺接する。これにより、上下方向の締め付け力が左右方向の締め付け力に変換され、連結部７、７が互いに近づく方向（左右方向）に締め付けられる。そして、バッテリーポスト挿入穴１２、１６が縮径方向に縮み、そのバッテリーポスト挿入穴１２、１６がバッテリーポスト２の周側面に対して圧接状態となって、バッテリーターミナル５１の取り付けが完了する。
【００６７  】
以上、バッテリーターミナル５１は上述のバッテリーターミナル１と同様の効果、すなわち、連結部７、７の不本意な変形を抑え、バッテリーポスト挿入穴１２、１６の縮径を確実に行うことができるという効果を奏する。また、上記図示しない工具と、バッテリー周辺の設置部品（不図示）との干渉を確実に避け、接続に係る作業（取り付けに係る作業）を容易にすることができるという効果を奏する。
【００６８  】
尚、第二ブラケット５３のガイド部５８、５８は、ボルト保持部分５６の端部を上方に折り曲げて形成されているが、次のような部分に配置形成してもよいものとする。図１７は上記第二ブラケット５３の他の例を示す斜視図であり、その図１７において、ガイド部５８′、５８′は、ボルト保持手段５４′における基端部分５５′の左右両側に配設されている。
【００６９  】
具体的に上記第二ブラケット５３（図１１参照）の他の例を説明すると、第二ブラケット５３′は、基板３７と第一のボルト回り止め部３８とボルト保持手段５４′とを有するように形成されている（基本的に同じ構成については同一の符号を付してその詳細な説明を省略する）。
【００７０  】
ボルト保持手段５４′は、基板３７の他端（第一のボルト回り止め部３８の反対側）に連成されており、左右両側にガイド部５８′、５８′が連成される基端部分５５′と、基端部分５５′に連成されるボルト保持部分５６′とを有している。基端部分５５′は、バッテリーターミナル本体３の連結部７、７の前方に配置形成されている。また、ボルト保持部分５６′は、ブラケット２９と連結部７、７の各上面との間に差し込まれるように形成されている。ボルト保持部分５６′には、ボルト保持孔５７が形成されている。
【００７１  】
ガイド部５８′、５８′は、その先端が上側を向くように形成されている。また、ガイド部５８′、５８′は、適宜長さに形成されている。このようなガイド部５８′、５８′は、ブラケット２９を案内して作業性の向上を図るために形成されている。また、ブラケット２９の回転方向の動きを規制するためにも形成されている（ガイド部５８′、５８′を上記位置に形成することにより、上記第二ブラケット５３と比べて、曲げ工程が少なくなるという利点もある）。
【００７２  】
その他、本発明は本発明の主旨を変えない範囲で種々変更実施可能なことは勿論である。すなわち、ブラケット２９と第二ブラケット３２（５３、５３′）の位置を上下逆にしてもよいものとする。
【００７３  】
【発明の効果】
以上説明したように、請求項１に記載された本発明によれば、バッテリーターミナル本体の不本意な変形を抑えてバッテリーポスト挿入穴の縮径を確実に行うことができるという効果を奏する。
【００７４  】
請求項２に記載された本発明によれば、請求項１の発明の効果に加え次のような効果も奏する。すなわち、バッテリーターミナル本体の不本意な変形をより一層抑えることができるという効果を奏する。
【００７５  】
請求項３に記載された本発明によれば、請求項１又は請求項２の発明の効果に加え次のような効果も奏する。すなわち、第二ブラケットの回り止めをして作業をし易くすることができるという効果を奏する。
【００７６  】
請求項４に記載された本発明によれば、請求項１又は請求項２の発明の効果に加え次のような効果も奏する。すなわち、第二ブラケット及びボルトの回り止めをして作業をし易くすることができるという効果を奏する。
【００７７  】
請求項５に記載された本発明によれば、請求項４の発明の効果に加え次のような効果も奏する。すなわち、より確実にボルトの回り止めをすることができるという効果を奏する。
【００７８  】
請求項６に記載された本発明によれば、請求項１ないし請求項５いずれかの発明の効果に加え次のような効果も奏する。すなわち、ボルトの軸ずれを規制して作業をし易くすることができるという効果を奏する。
【００７９  】
請求項７に記載された本発明によれば、請求項６の発明の効果に加え次のような効果も奏する。すなわち、締め付け手段の組み立ての際、ブラケットを案内して作業をし易くすることができるという効果を奏する。
【００８０  】
請求項８に記載された本発明によれば、請求項７の発明の効果に加え次のような効果も奏する。すなわち、締め付け手段の組み立ての際、ブラケットの回転方向の動きを規制して作業をし易くすることができるという効果を奏する。
【図面の簡単な説明】
【図１】本発明によるバッテリーターミナルの一実施の形態を示す分解斜視図である。
【図２】バッテリーターミナルの外観斜視図である。
【図３】バッテリーターミナルの正面図である。
【図４】バッテリーターミナルの側面図である。
【図５】バッテリーターミナルの底面図である。
【図６】バッテリーターミナルの作用説明図である。
【図７】第二ブラケットの他の例（第二の例）を示す斜視図である。
【図８】第二ブラケットの更に他の例（第三の例）を示す斜視図である。
【図９】第二ブラケットの更に他の例（第四の例）を示す斜視図である。
【図１０】一対の締め付け部の他の例（第二の例）を示す要部拡大図である。
【図１１】本発明によるバッテリーターミナルの他の一実施の形態を示す分解斜視図である。
【図１２】図１１のバッテリーターミナルの外観斜視図である。
【図１３】図１１のバッテリーターミナルの平面図である。
【図１４】図１１のバッテリーターミナルの正面図である。
【図１５】図１１のバッテリーターミナルの側面図である。
【図１６】図１５のＡ−Ａ線断面図である。
【図１７】図１１の第二ブラケットの他の例を示す斜視図である。
【図１８】図２０の従来例の課題を解決すべく検討されたバッテリーターミナルの分解斜視図である。
【図１９】図１８のバッテリーターミナルの正面図である。
【図２０】従来例のバッテリーターミナルの分解斜視図である。
【符号の説明】
１  バッテリーターミナル
２  バッテリーポスト
３  バッテリーターミナル本体
４  締め付け装置（締め付け手段）
５、６  環状部
７  連結部（締め付け部）
８、９  接合板
１０  端子固定ボルト
１１  上基板
１２、１６  バッテリーポスト挿入穴
１３、１７  係合部
１４  一部分断された部分
１５  下基板
１８  回り止め部
１９  締め付け間隙
２０  ボルト挿通孔
２１  被摺接部
２２  当接部
２３  接触板部
２４  側壁
２５  ボルト挿通孔
２６  頭部
２７  頭部保持片
２８  矩形平板部
２９  ブラケット
３０  ボルト
３１  ナット
３２  第二ブラケット
３３  基板
３４  テーパ部
３５  ボルト挿通孔
３６  頭部
３７  基板
３８  第一のボルト回り止め部
３９  第二のボルト回り止め部
４０  第二ボルト挿通孔
４１  受け部
４２  先端部分
５１  バッテリーターミナル
５２  締め付け装置（締め付け手段）
５３、５３′  第二ブラケット
５４、５４′  ボルト保持手段
５５、５５′  基端部分
５６、５６′  ボルト保持部分
５７  ボルト保持孔
５８、５８′  ガイド部
【図１】
2004235135.tif 000003
【図２】
2004235135.tif 000004
【図３】
2004235135.tif 000005
【図４】
2004235135.tif 000006
【図５】
2004235135.tif 000007
【図６】
2004235135.tif 000008
【図７】
2004235135.tif 000009
【図８】
2004235135.tif 000010
【図９】
2004235135.tif 000011
【図１０】
2004235135.tif 000012
【図１１】
2004235135.tif 000013
【図１２】
2004235135.tif 000014
【図１３】
2004235135.tif 000015
【図１４】
2004235135.tif 000016
【図１５】
2004235135.tif 000017
【図１６】
2004235135.tif 000018
【図１７】
2004235135.tif 000019
【図１８】
2004235135.tif 000020
【図１９】
2004235135.tif 000021
【図２０】
2004235135.tif 000022